(57)【特許請求の範囲】
【請求項１】
折り畳み自在に連結された、観賞用の鉢植草花を掛止する取付部を形成した２以上のハンガー面体を屏風状又は筒状に折り曲げて形成した構造体を、地上や床面等に自立させる構造とし、
上記屏風状又は筒状に形成した構造体の上端に、構造体の形状を保持するピン、鍔板などの係止部と、電気器具の取付又は電気コードの挿通のための孔部とを有した電気器具載置用の天板を設けている鉢植草花の自立式化粧枠体。
【請求項２】
請求項１において、
上記ハンガー面体で構成される屏風状又は筒状の構造体には、更に保形部材を組み付けている鉢植草花の自立型化粧枠体。
【請求項３】
請求項１又は２の何れかにおいて、
上記ハンガー面体は、隣接する他のハンガー面体との間に支柱を介して折り畳み自在に連結している鉢植草花の自立型化粧枠体。
【請求項４】
請求項３において、
上記支柱は、中空のパイプ管で形成している鉢植草花の自立型化粧枠体。
【請求項５】
請求項４において、
上記支柱の適所には、電気コード等を挿通させる配線孔を穿孔している鉢植草花の自立型化粧枠体。
【請求項６】
請求項１〜５の何れかにおいて、
上記ハンガー面体は、平面状又は湾曲した凸面状、或いはこれらを組み合わせた形状に形成している鉢植草花の自立型化粧枠体。
【請求項７】
請求項１〜６の何れかにおいて、
上記ハンガー面体は、複数の線材、板材を、それぞれの間で隙間を形成するように隣接配置して形成された面体、パンチング孔の開いた板材、複数の管材を同一平面状に配列した面体、エキスパンドメタル又はこれらを組みあわせて形成されている鉢植草花の自立型化粧枠体。
【請求項８】
請求項１〜７の何れかにおいて、
一端に配置されたハンガー面体には、他端に位置する他のハンガー面体に係脱可能な掛止部材を設けている鉢植草花の自立型化粧枠体。
【発明の詳細な説明】
【０００１】
【発明の属する技術分野】
本発明は、２以上のハンガー面体を屏風状或いは筒状に折り曲げて形成した構造体を地上や床面等に自立させ、これに観賞用の鉢植草花を掛止或いは載置して飾り付ける鉢植草花の自立型化粧枠体に関する。
【０００２】
【従来の技術】
図１０は、従来の鉢植草花の自立型化粧枠体を示す斜視図である。
【０００３】
この鉢植草花の自立型化粧枠体１００は、矩形状の外枠部１０１の下端に脚部１０２を設けて自立可能とし、その外枠部１０１内側には、線材を格子状に配設した取付部１１１を形成している。
【０００４】
この鉢植草花の自立型化粧枠体１００は、所望の場所に立設し、観賞用などの鉢植草花１２０に設けたフック部１２１を、その取付部１１１に掛止することで、鉢植草花を飾り付けできる。
【０００５】
図１１は、従来の鉢植草花の他の自立型化粧枠体を示す斜視図である。
【０００６】
この鉢植草花の自立型化粧枠体２００は、単又は複数の棚板２０１の周囲に３本以上の支柱２０２、２０２…を固着した固定型の構造体に形成し、これを自立可能としている。
【０００７】
この鉢植草花の自立型化粧枠体２００は、所望の場所に立設し、観賞用などの鉢植草花１２０を、その棚板２０１に載置することで、鉢植草花を飾り付けできる。
【０００８】
【発明が解決しようとする課題】
しかし、これらの自立型化粧枠体１００、２００は、何れもその構造を固定型にしている。
【０００９】
そのため、この自立型化粧枠体１００、２００の形状自体を、所望の場所に応じて自由に変形することはできない問題がある。
【００１０】
本発明は、かかる課題を解決することを目的とするもので、所望の場所に応じて変形自在な構造体に形成できる鉢植草花の自立型化粧枠体を提供する。
【００１１】
【課題を解決するための手段】
上記目的を達成するため、
請求項１に係る鉢植草花の自立型化粧枠体は、折り畳み自在に連結された、観賞用の鉢植草花を掛止する取付部を形成した２以上のハンガー面体を屏風状又は筒状に折り曲げて形成した構造体を、地上や床面等に自立させる構造とし、屏風状又は筒状に形成した構造体の上端に、構造体の形状を保持するピン、鍔板などの係止部と、電気器具の取付又は電気コードの挿通のための孔部とを有した電気器具載置用の天板を設けている。
【００１２】
ここで、「鉢植草花」とは、観賞用の植木鉢、プランタン等の他、非観賞用の郵便受け、照明具等や、ネームプレート等も含む総称である。
【００１３】
請求項１では、２以上のハンガー面体を折り畳み自在に連結しているので、これを開いたり、囲んだりするだけで所望の場所に応じて屏風状或いは筒状の構造体に自在に形成できる。
【００１４】
そして、地上等に自立させたハンガー面体の取付部の適所に、観賞用などの鉢植草花をその取付部に掛止することで鉢植草花を飾り付けできる。
また、係止部を有した天板によれば、屏風状或いは筒状の特定の構造体に組立てた後の形状を保持できると共に、捩り強度なども高めることができ、孔部によれば、その天板に載置する照明具などの電気器具の取付や、電気コードの挿通を簡単に行える。
【００１５】
請求項２に係る鉢植草花の自立型化粧枠体は、請求項１において、上記ハンガー面体で構成される屏風状又は筒状の構造体には、更に保形部材を組み付けている。
【００１６】
ここで「保形部材」とは、屏風状或いは筒状の構造体に形成する自立型化粧枠体の形状を予め特定し、その特定した構造体の形状に応じて形成した天板、棚板、底板などを含む総称である。
【００１７】
請求項２では、保形部材を組み付けることで、特定の屏風状或いは筒状の構造体に形成した後の形状を保持できるうえ、全体強度を高めることができる。
【００１８】
また、ハンガー面体に鉢植草花を掛止すると共に、保形部材には、植木鉢や照明具などの鉢植草花も載置できるので、様々な飾り付けをできる。
【００１９】
請求項３に係る鉢植草花の自立型化粧枠体は、請求項１又は２の何れかにおいて、上記ハンガー面体は、隣接する他のハンガー面体との間に支柱を介して回動自在に連結している。
【００２０】
請求項３では、支柱をハンガー面体との間に介することで、全体強度を高めることができる。
【００２１】
請求項４に係る鉢植草花の自立型化粧枠体は、請求項３において、上記支柱は、中空のパイプ管で形成している。
【００２２】
請求項４では、支柱を中空のパイプ管で形成するので、全体強度をより高めることができるうえ、支柱内に電気コード等を挿通させて配線することができる。
【００２３】
請求項５に係る鉢植草花の自立型化粧枠体は、請求項４において、上記支柱の適所には、電気コード等を挿通させる配線孔を穿孔している。
【００２４】
請求項５では、配線孔を支柱の適所に穿孔することで、電気コード等を支柱内を挿通させて所望の位置から取り出して配線することができる。
【００２５】
請求項６に係る鉢植草花の自立型化粧枠体は、請求項１〜５の何れかにおいて、上記ハンガー面体は、平面状又は湾曲した凸面状、或いはこれらを組み合わせた形状に形成している。
【００２６】
請求項６では、ハンガー面体を平面状又は湾曲した凸面状、或いはこれらを組み合わせた形状に形成しているので、所望の場所に合せた様々な形状の構造体に形成できる。
【００２７】
請求項７に係る鉢植草花の自立型化粧枠体は、請求項１〜６の何れかにおいて、上記ハンガー面体は、複数の線材、板材を、それぞれの間で隙間を形成するように隣接配置して形成された面体、パンチング孔の開いた板材、複数の管材を同一平面状に配列した面体、エキスパンドメタル又はこれらを組みあわせて形成されている。
【００２８】
請求項７では、組立て後の内部を壁面のように略完全に隠蔽したり、或いは斬新なイメージのハンガー面体を提供できる。
【００２９】
請求項８に係る鉢植草花の自立型化粧枠体は、請求項１〜７の何れかにおいて、一端に配置されたハンガー面体には、他端に位置する他のハンガー面体に係脱可能な掛止部材を設けている鉢植草花の自立型化粧枠体。
【００３０】
請求項８では、掛止部材を設けているので、これを掛止すれば、構造体を自立させた後の面筒状又は円筒状形態を安定して保持できる。
【００３１】
（削除）
【００３２】
（削除）
【００３３】
（削除）
【００３４】
（削除）
【００３５】
【発明の実施の形態】
以下、本発明に係る鉢植草花の自立型化粧枠体について、図面に基づき説明する。
【００３６】
図１は、本発明に係る鉢植草花の自立型化粧枠体の第一実施例を示す分解斜視図である。
【００３７】
この鉢植草花の自立型化粧枠体Ａは、図２に示した観賞用の鉢植草花１０を掛止する取付部２を形成した２以上のハンガー面体１、１を折り畳み自在に連結し、これを屏風状或いは筒状に折り曲げて構造体を形成し、地上や床面等の所望の場所に自立させる構造にしている。
このハンガー面体１は、金属、樹脂又は木などの硬質材料を矩形状に形成した外枠部１１の内側に、複数の線材や板材などを格子状に形成した取付部２を形成している。
【００３８】
また、ハンガー面体１、１の間には、蝶番などの回動部材３を設けてハンガー面体１、１の各々を連結することで、ハンガー面体１、１を折り畳み自在に連結できる。
【００３９】
なお、回動部材３には、蝶番以外にも、弾性変形可能なゴムや樹脂シートであってもハンガー面体１、１を折り畳み自在に連結できる。
【００４０】
図２は、本発明に係る鉢植草花の自立型化粧枠体の一例を示す使用状態図である。
【００４１】
この鉢植草花の自立型化粧枠体Ａによれば、２以上のハンガー面体１、１を、折り畳み自在に連結できるので、これを所望の場所に応じた適宜角度に開くだけで、ハンガー面体１、１を屏風状に形成して簡単に自立させることができる。
【００４２】
そして、鉢植草花の自立型化粧枠体Ａの取付部２に、観賞用などの鉢植草花１０に設けたフック部２０を掛止することで、鉢植草花１０を飾り付けできる。
【００４３】
図３は、本発明に係る鉢植草花の自立型化粧枠体の第二実施例を示す斜視図である。
【００４４】
なお、図１、２と共通する部位には、共通の符号を付し、その説明は省略する。
【００４５】
この鉢植草花の自立型化粧枠体Ａは、少なくとも３以上のハンガー面体１、１を、折り畳み自在に連結し、これらのハンガー面体１、１…を屏風状或いは筒状に折り曲げて構造体を形成し、地上や床面等の所望の場所に自立させる構造にしている。
【００４６】
本実施例では、ハンガー面体１、１…を、筒状に形成した場合を例示して説明する。
【００４７】
このハンガー面体１は、金属材料を矩形状に形成した外枠部１１の内側に、複数の線材を格子状に形成した取付部２を形成している。
【００４８】
また、ハンガー面体１、１…は、隣接する他のハンガー面体１との間に回動部材３を備えた支柱４を介して折り畳み自在に連結している。
【００４９】
このように、支柱４をハンガー面体１、１…に介することで、その全体強度を高めることができる。
【００５０】
また、この支柱４は、中実の棒体で形成するだけに限らず、例えば、中空のパイプ管で形成することも可能である。
【００５１】
このように、支柱４をパイプ管で形成すれば、全体強度をより高めることができるうえ、支柱４内に電気コード等を挿通させて配線することができる。
【００５２】
また、複数連結したハンガー面体１、１…の一端に配置されたハンガー面体１の外枠部１１或いは支柱４には、ハンガー面体１、１…の他端に配置された他のハンガー面体１に係脱可能な掛止部材５を設けることが望ましい。
【００５３】
この鉢植草花の自立型化粧枠体Ａによれば、３以上のハンガー面体１、１…を、折り畳み自在に連結できるので、これを所望の場所に応じた適宜角度に開いて囲むだけで、ハンガー面体１、１を三面柱枠体以上の多面体枠体の構造体とする筒状に形成して簡単に自立させることができる。
【００５４】
また、掛止部材５を設けているので、これを掛止すれば、筒状に組立てた後の形状を崩すことなく安定して保持できる。
【００５５】
そして、鉢植草花の自立型化粧枠体Ａの取付部２に、観賞用などの鉢植草花１０に設けたフック部２０を掛止することで、鉢植草花１０を飾り付けできる。
【００５６】
図４及び図５は、本発明に係る鉢植草花の自立型化粧枠体の第三実施例を示す斜視図である。
【００５７】
なお、図１〜３と共通する部位には、共通の符号を付し、その説明は省略する。
【００５８】
この鉢植草花の自立型化粧枠体Ａは、図１〜３で示した屏風状或いは筒状の構造体に形成した自立型化粧枠体Ａに、更に保形部材７を組み付ける構造にしている。
【００５９】
この保形部材７とは、屏風状或いは筒状の構造体に形成する自立型化粧枠体Ａの形状を予め特定し、その特定した構造体の形状に応じて形成した天板、棚板、底板などを含む総称である。
【００６０】
図４は、図１、２で示した屏風状の構造体に形成した自立型化粧枠体Ａに、更に保形部材７を組み付けたものを例示している。
【００６１】
すなわち、図１、２で示した屏風状の構造体に形成する形状を予め特定する場合には、その特定した構造体の形状に合せて天板７１、棚板７２、底板７３などの保形部材７を形成する。
【００６２】
例えば、天板７１は、二等辺三角形に形成した板材の両等辺下方に、鍔板などの係止部８１を延設して形成する。
【００６３】
そして、この特定の形状に形成した天板７１に合せてハンガー面体１、１を開けば、特定の屏風状の構造体に形成できると共に、ハンガー面体１、１を組立てた後の形状を保持できる。
【００６４】
もっとも、上記鍔板の係止部８１では、ハンガー面体１、１を閉止する方向に規制できないのであれば、この鍔板の下端に溝を形成して、ハンガー面体１、１を挟持する構造に係止部８１を形成すれば、確実にその形状を保持できる。
【００６５】
また、棚板７２は、例えば二等辺三角形に形成した板材の両等辺適所に、取付部２に掛止可能な掛止部を縁設して形成する。
【００６６】
そして、この特定の形状に形成した棚板７２の上記掛止部を、ハンガー面体１、１の内側から取付部２に掛止すれば、特定の屏風状の構造体に形成できると共に、ハンガー面体１、１を組立てた後の形状を保持できる。
【００６７】
また、天板７１を反転して使用すれば、これを底板７３にすることができる。
【００６８】
このような、特定した構造体の形状に合せて天板７１、棚板７２、底板７３などの保形部材７を組み付ければ、特定の屏風状の構造体に形成できると共に、その組立てた後の形状を保持できる。
【００６９】
また、ハンガー面体１、１に鉢植草花１０を掛止すると共に、天板７１、棚板７２には、植木鉢や照明具などの鉢植草花１０も載置できるので、様々な飾り付けをできる。
【００７０】
図５は、図３で示した筒状の構造体に形成した自立型化粧枠体Ａに、更に保形部材７を組み付けたものを例示している。
【００７１】
すなわち、図３で示した筒状の構造体に形成する形状を予め特定する場合には、その特定した構造体の形状に合せて天板７１、棚板７２、底板７３などの保形部材７を形成する。
【００７２】
例えば、天板７１は、図３と同様にして、正方形に形成した板材の両等辺下方に、鍔板などの係止部８１を延設して形成する。
【００７３】
そして、この特定の形状に形成した天板７１に合せてハンガー面体１、１を囲んで掛止部材５（図３参照）を掛止すれば、特定の筒状の構造体に組立てた後の形状を保持できると共に、捩り強度なども高めることができる。
【００７４】
また、図５で示すように、支柱４をパイプ管で形成したものであれば、上記鍔板に代えて、支柱４上端の内径に挿通するピンなどの係止部８１を、天板７１の下面に備えているので、支柱４内径を利用して天板７１を組み付けることができる。
【００７５】
また、この天板７１には、照明具などの電気器具を載置することができ、その取付のための或いは電気コード等を挿通するための孔部７１ａが開設されている。
【００７６】
また、支柱４をパイプ管で形成した場合には、その適所に電気コード等を挿通させる配線孔４１を穿孔することも可能である。
【００７７】
このような配線孔４１を支柱４の適所に穿孔することで、電気コード等を支柱４内を挿通させて所望の位置から取り出して配線することができる。
【００７８】
図６（ａ）、（ｂ）、（ｃ）は、本発明に係るハンガー面体の概略平面図である。
【００７９】
図１〜図５で示したハンガー面体１は、平面状に形成したものを例示したが、このハンガー面体１は、種々の形状に形成することができる。
【００８０】
例えば、図６（ａ）で示すように、ハンガー面体１は、その全体を片側に湾曲した凸面状に形成することもできる。
【００８１】
また、図６（ｂ）で示すように、ハンガー面体１は、その全体を片側に折曲状に突出させた凸面状に形成することもできる。
【００８２】
また、図６（ｃ）で示すように、ハンガー面体１は、その一部だけを片側に突出した凸面状に形成することもできる。
【００８３】
図７（ａ）、（ｂ）は、本発明に係る鉢植草花の自立型化粧枠体（２面）を組立てた状態を示す概略平面図である。
【００８４】
図６で示したように、ハンガー面体１は、所望の形状に形成することができるが、図７では、２つのハンガー面体１を使って組立てた状態を例示している。
【００８５】
図７（ａ）では、２つのハンガー面体１、１を連結した鉢植草花の自立型化粧枠体Ａを示しており、図６で示したハンガー面体１を用いて筒状に組立てた状態を各々例示している。
【００８６】
図７（ｂ）では、２つのハンガー面体１、１を連結した鉢植草花の自立型化粧枠体Ａを示しており、図６で示したハンガー面体１を用いて屏風状に組立てた状態を各々例示している。
【００８７】
図８（ａ）、（ｂ）は、本発明に係る鉢植草花の自立型化粧枠体（多面）を組立てた状態を示す概略平面図である。
【００８８】
図８は、３つ以上のハンガー面体１、１、１…を使って組立てた状態を例示しており、図８（ａ）では、三面筒状、四面筒状、六面筒状のような多面体枠体とする筒状に形成したものを例示している。
【００８９】
また、図８（ｂ）では、図８（ａ）を屏風状に形成したものを各々例示している。
【００９０】
なお、図８で示したハンガー面体１を、図６で示した凸面状に形成することも可能であり（不図示）、その組立て状態を様々に形成することができる。
【００９１】
図９（ａ）、（ｂ）、（ｃ）は、本発明に係るハンガー面体の他の実施例を示す概略斜視図である。
【００９２】
このハンガー面体１は、パンチング孔の開いた板材、複数の管材を同一平面状に配列した面体、エキスパンドメタル又はこれらを組みあわせて形成することもできる。
【００９３】
例えば、図９（ａ）で示すハンガー面体１は、金属板、樹脂板又は木板などの矩形状に形成した硬質板材の適所にパンチング孔を開設した取付部２を形成したものであり、このハンガー面体１によれば、組立て後の内部を壁面のように略完全に隠蔽することができる。
【００９４】
図９（ｂ）で示すハンガー面体１は、金属管、樹脂管又は紙管などの管材を複数形成し、これら管材を縦横に連結固定して同一平面状に配列したものであり、このハンガー面体１によれば、管材内面を取付部２として利用できるうえ、斬新なイメージのハンガー面体１を提供できる。
【００９５】
また、上記に示した線材、パンチング孔の開いた板材、管材以外にも、図９（ｃ）で例示するように帯状材、エキスパンドメタル又はこれらを組みあわせて様々なハンガー面体１を形成することが考えられる。
【００９６】
なお、本実施例で説明した鉢植草花の自立型化粧枠体Ａは、金属、樹脂、木材又はこれらを組み合わせた素材で形成することが考えられる。
【００９７】
【発明の効果】
本発明によれば、次のような効果がある。
【００９８】
請求項１に係る鉢植草花の自立型化粧枠体によれば、２以上のハンガー面体を折り畳み自在に連結しているので、これを開いたり、囲んだりするだけで所望の場所に応じて屏風状或いは筒状の構造体に自在に形成できる。
【００９９】
そして、地上や床面等に自立させたハンガー面体の取付部の適所に、観賞用などの鉢植草花を掛止することで鉢植草花を飾り付けできる。
また、係止部を有した天板によれば、屏風状或いは筒状の特定の構造体に組立てた後の形状を保持できると共に、捩り強度なども高めることができ、係止部の孔部によれば、その天板に載置する照明具などの電気器具の取付や、電気コードの挿通を簡単に行える。
【０１００】
請求項２に係る鉢植草花の自立型化粧枠体によれば、保形部材を組み付けることで、特定の屏風状或いは筒状の構造体に形成した後の形状を保持できるうえ、全体強度を高めることができる。
【０１０１】
また、ハンガー面体に鉢植草花を掛止すると共に、保形部材には、植木鉢や照明具などの鉢植草花も載置できるので、様々な飾り付けをできる。
【０１０２】
請求項３に係る鉢植草花の自立型化粧枠体によれば、支柱をハンガー面体に介することで、全体強度を高めることができる。
【０１０３】
請求項４に係る鉢植草花の自立型化粧枠体によれば、支柱を中空のパイプ管で形成するので、全体強度をより高めることができるうえ、支柱内に電気コード等を挿通させて配線することができる。
【０１０４】
請求項５に係る鉢植草花の自立型化粧枠体によれば、配線孔を支柱の適所に穿孔することで、電気コード等を支柱内を挿通させて所望の位置から取り出して配線することができる。
【０１０５】
請求項６に係る鉢植草花の自立型化粧枠体によれば、ハンガー面体を平面状又は湾曲した凸面状、或いはこれらを組み合わせた形状に形成しているので、所望の場所に合せた様々な形状の構造体に形成できる。
【０１０６】
請求項７に係る鉢植草花の自立型化粧枠体によれば、組立て後の内部を壁面のように略完全に隠蔽したり、或いは斬新なイメージのハンガー面体を提供できる。
【０１０７】
請求項８に係る鉢植草花の自立型化粧枠体によれば、掛止部材を設けているので、これを掛止すれば、構造体を自立させた後の面筒状又は円筒状形態を安定して保持できる。
【０１０８】
（削除）
【０１０９】
（削除）
【図面の簡単な説明】
【図 １】本発明に係る鉢植草花の自立型化粧枠体の第一実施例を示す分解斜視図
【図 ２】本発明に係る鉢植草花の自立型化粧枠体の一例を示す使用状態図
【図 ３】本発明に係る鉢植草花の自立型化粧枠体の第二実施例を示す斜視図
【図 ４】本発明に係る鉢植草花の自立型化粧枠体の第三実施例（屏風状）を示す斜視図
【図 ５】本発明に係る鉢植草花の自立型化粧枠体の第三実施例（筒状）を示す斜視図
【図 ６】（ａ）、（ｂ）、（ｃ）は、本発明に係るハンガー面体の概略平面図
【図 ７】（ａ）、（ｂ）は、本発明に係る鉢植草花の自立型化粧枠体（２面）を組立てた状態を示す概略平面図
【図 ８】（ａ）、（ｂ）は、本発明に係る鉢植草花の自立型化粧枠体（多面）を組立てた状態を示す概略平面図
【図 ９】（ａ）、（ｂ）、（ｃ）は、本発明に係るハンガー面体の他の実施例を示す概略斜視図
【図１０】従来の鉢植草花の自立型化粧枠体を示す斜視図
【図１１】従来の鉢植草花の他の自立型化粧枠体を示す斜視図
【符号の説明】
Ａ  鉢植草花の自立型化粧枠体
Ｋ  構造物
１  ハンガー面体
２  取付部
３  回動部材
４  支柱
４１  配線孔
５  掛止部材
７  保形部材
７１  天板
７１ａ  孔部
８１  係止部
１０  観賞用などの鉢植草花
【図１】
0004733828.tif 000002
【図２】
0004733828.tif 000003
【図３】
0004733828.tif 000004
【図４】
0004733828.tif 000005
【図５】
0004733828.tif 000006
【図６】
0004733828.tif 000007
【図７】
0004733828.tif 000008
【図８】
0004733828.tif 000009
【図９】
0004733828.tif 000010
【図１０】
0004733828.tif 000011
【図１１】
0004733828.tif 000012